【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
ＤＣ入力信号と共に用いるためのＤＣ／ＤＣコンバータであって、前記ＤＣ／ＤＣコンバータが、
前記ＤＣ入力信号を受け取るように動作し得る入力部分と、
前記ＤＣ入力信号のパラメータを判定するように動作し得る入力判定部分と、
前記パラメータに基づいて第１の情報信号を生成するように動作し得る情報信号生成器と、
前記ＤＣ入力信号と情報信号とに基づいて１次信号を生成するように動作し得る１次信号生成器と、
１次側と２次側とを有する変圧器であって、前記１次側が、前記１次信号に基づいて前記２次側において２次信号を誘導するように動作し得る、前記変圧器と、
前記２次信号に基づいて制御信号を生成するように動作し得る制御部分と、
前記２次信号に基づいてＤＣ信号を出力するように動作し得るＡＣ／ＤＣ変換部分と、
前記ＤＣ信号に基づいて出力信号を出力するように動作し得る出力部分と、
問い合わせを生成するように動作し得る第２の制御部分と、
を含み、
前記変圧器が、前記問い合わせを前記情報信号生成器に送るように更に動作可能であり、
前記情報信号生成器が、前記問い合わせを受け取ると前記パラメータに基づいて前記第１の情報信号を生成するように動作し得る、ＤＣ／ＤＣコンバータ。
【請求項２】
請求項１に記載のＤＣ／ＤＣコンバータであって、
前記情報信号生成器が、第１の所定のパルス長を有するパルスを前記第１の情報信号として生成するように動作可能であり、
前記１次信号生成器が、前記１次信号を第１の信号部分と第２の信号部分と第３の信号部分として生成するように動作可能であり、
前記第１の信号部分が第１の振幅を有し、
前記第２の信号部分が、第２の振幅を有し、そして前記第１の所定のパルス長に基づく持続期間を有し、
前記第３の信号部分が前記第１の振幅を有し、
前記第１の振幅が前記第２の振幅に等しくない、ＤＣ／ＤＣコンバータ。
【請求項３】
請求項２に記載のＤＣ／ＤＣコンバータであって、
前記入力部分が、前記ＤＣ入力信号を第１のＤＣ入力信号と第２のＤＣ入力信号との１つとして受け取るように動作可能であり、前記第１のＤＣ入力信号が第１のＤＣ入力信号振幅を有し、前記第２のＤＣ入力信号が第２のＤＣ入力信号振幅を有し、
前記入力判定部分が、前記ＤＣ入力信号が前記第１のＤＣ入力信号のときに前記ＤＣ入力信号の振幅が前記第１のＤＣ入力信号振幅であると判定するように動作可能であり、
前記入力判定部分が、前記ＤＣ入力信号が前記第２のＤＣ入力信号のときに前記ＤＣ入力信号の振幅が前記第２のＤＣ入力信号振幅であると判定するように動作可能であり、
前記情報信号生成器が、前記ＤＣ入力信号が前記第１のＤＣ入力信号のときに第１の所定のパルス長を有する前記パルスを生成するように動作可能であり、
前記情報信号生成器が、前記ＤＣ入力信号が前記第２のＤＣ入力信号のときに第２の所定のパルス長を有する前記パルスを生成するように更に動作可能であり、
前記ＤＣ／ＤＣ変換部分が、前記ＤＣ信号を第１のＤＣ信号部分とそれに続く第２のＤＣ信号部分として出力するように動作可能であり、
前記第１のＤＣ信号部分が第１のＤＣ振幅を有し、
前記第２のＤＣ信号部分が第２のＤＣ振幅を有し、
前記第１のＤＣ振幅が前記第２のＤＣ振幅に等しくなく、
前記第２のＤＣ信号部分の開始が前記パルスに基づく、ＤＣ／ＤＣコンバータ。
【請求項４】
請求項３に記載のＤＣ／ＤＣコンバータであって、
前記第２のＤＣ信号部分が、前記ＤＣ入力信号が第１のＡＣ入力信号のときに値Ｖ１を有する第２のＤＣ振幅を有し、
前記第２のＤＣ信号部分が、前記ＤＣ入力信号が前記第２のＤＣ入力信号のときに値Ｖ２を有する第２のＤＣ振幅を有し、
ここで、Ｖ１≠Ｖ２であり、
前記コントローラが、前記第２のＤＣ信号部分が値Ｖ１を有する第２のＤＣ振幅を有するときに前記出力部分に前記出力信号を第１の出力信号として出力するように命令するように動作可能であり、
前記コントローラが、前記第２のＤＣ信号部分が値Ｖ２を有する第２のＤＣ振幅を有するときに前記出力部分に前記出力信号を第２の出力信号として出力するように命令するように動作し得る、ＤＣ／ＤＣコンバータ。
【請求項５】
請求項１に記載のＤＣ／ＤＣコンバータであって、
無線電力転送システム内で用いられるためのものであり、前記情報信号が、前記システムの前記１次側での前記電力可能性に基づく、ＤＣ／ＤＣコンバータ。
【請求項６】
請求項２に記載のＤＣ／ＤＣコンバータであって、
前記情報信号生成器が、第２の所定のパルス長を有する第２のパルスを含むように、前記第１の情報信号を生成するように更に動作可能であり、
前記１次信号生成器が、第４の信号部分と第５の信号部分とを付加的に含むように、前記１次信号を生成するように更に動作可能であり、
前記第４の信号部分が前記第２の振幅を有し、
前記第５の信号部分が前記第１の振幅を有し、
前記第２のパルスが前記第１のパルスから分離される、ＤＣ／ＤＣコンバータ。
【請求項７】
請求項６に記載のＤＣ／ＤＣコンバータであって、
問い合わせを生成するように動作し得る第２の制御部分を更に含み、
前記変圧器が、前記問い合わせを前記情報信号生成器に送るように更に動作可能であり、
前記情報信号生成器が、前記問い合わせを受け取ると前記パラメータに基づいて前記第１の情報信号を生成するように動作し得る、ＤＣ／ＤＣコンバータ。
【請求項８】
ＤＣ入力信号をＤＣ信号に変換する方法であって、
入力部分を介して前記ＤＣ入力信号を受け取ることと、
入力判定部分を介して、前記ＤＣ入力信号のパラメータを判定することと、
情報信号生成器を介して、前記パラメータに基づいて第１の情報信号を生成することと、
１次信号生成器を介して、前記ＤＣ入力信号と前記情報信号とに基づいて１次信号を生成することと、
１次側及び２次側を有する変圧器の前記２次側において、前記１次信号に基づいて２次信号を誘導することと、
制御部分を介して、前記２次信号に基づいて制御信号を生成することと、
ＡＣ／ＤＣ変換部分を介して、前記２次信号に基づいてＤＣ信号を出力することと、
出力部分を介して、前記ＤＣ信号に基づいて出力信号を生成することと、
第２の制御部分を介して、問い合わせを生成することと、 
前記変圧器を介して、前記問い合わせを前記情報信号生成器に送ることと、
を含み、
制御部分を介して、前記２次信号に基づいて制御信号を生成することが、前記問い合わせを受け取ると前記制御信号を生成することを含む、方法。
【請求項９】
請求項８に記載の方法であって、
情報信号生成器を介して、前記パラメータに基づいて第１の情報信号を生成することが、第１の所定のパルス長を有するパルスを前記第１の情報信号として生成することを含み、
１次信号生成器を介して、前記ＤＣ入力信号と前記情報信号とに基づいて１次信号を生成することが、第１の信号部分と第２の信号部分と第３の信号部分として前記１次信号を生成することを含み、
前記第１の信号部分が第１の振幅を有し、
前記第２の信号部分が、第２の振幅を有し、そして前記第１の所定のパルス長に基づく持続期間を有し、
前記第３の信号部分が前記第１の振幅を有し、
前記第１の振幅が前記第２の振幅に等しくない、方法。
【請求項１０】
請求項９に記載の方法であって、
入力部分を介して、前記ＤＣ入力信号を受け取ることが、前記ＤＣ入力信号を第１のＤＣ入力信号と第２のＤＣ入力信号との１つとして受け取ることを含み、前記第１のＤＣ入力信号が第１のＤＣ入力信号振幅を有し、前記第２のＤＣ入力信号が第２のＤＣ入力信号振幅を有し、
入力判定部分を介して、前記ＤＣ入力信号のパラメータを判定することが、前記ＤＣ入力信号が前記第１のＤＣ入力信号であるときに前記ＤＣ入力信号の振幅が前記第１のＤＣ入力信号振幅であると判定することを含み、
入力判定部分を介して、前記ＤＣ入力信号のパラメータを判定することが、前記ＤＣ入力信号が前記第２のＤＣ入力信号であるときに前記ＤＣ入力信号の振幅が前記第２のＤＣ入力信号振幅であると判定することを含み、
情報信号生成器を介して、前記パラメータに基づいて第１の情報信号を生成することが、前記ＤＣ入力信号が前記第１のＤＣ入力信号のときに第１の所定のパルス長を有する前記パルスを生成することを含み、
情報信号生成器を介して、前記パラメータに基づいて第１の情報信号を生成することが、前記ＤＣ入力信号が前記第２のＤＣ入力信号であるときに第２の所定のパルス長を有する前記パルスを生成することを含み、
ＡＣ／ＤＣ変換部分を介して、前記２次信号に基づいてＤＣ信号を出力することが、第１のＤＣ信号部分とそれに続く第２のＤＣ信号部分として前記ＤＣ信号を出力することを含み、
前記第１のＤＣ信号部分が第１のＤＣ振幅を有し、
前記第２のＤＣ信号部分が第２のＤＣ振幅を有し、
前記第１のＤＣ振幅が前記第２のＤＣ振幅に等しくなく、
前記第２のＤＣ信号部分の開始が前記パルスに基づく、方法。
【請求項１１】
請求項１０に記載の方法であって、さらに、
前記第２のＤＣ信号部分が、前記ＤＣ入力信号が前記第１のＤＣ入力信号のときに値Ｖ１を有する第２のＤＣ振幅を有し、
前記第２のＤＣ信号部分が、前記ＤＣ入力信号が前記第２のＤＣ入力信号のときに値Ｖ２を有する第２のＤＣ振幅を有し、
ここで、Ｖ１≠Ｖ２であり、
前記コントローラが、前記第２のＤＣ信号部分が値Ｖ１を有する第２のＤＣ振幅を有するときに前記出力部分に第１の出力信号として前記出力信号を出力するように命令するように動作可能であり、
前記コントローラが、前記第２のＤＣ信号部分が値Ｖ２を有する第２のＤＣ振幅を有するときに前記出力部分に第２の出力信号として前記出力信号を出力するように命令するように動作し得る、方法。
【請求項１２】
請求項１１に記載の方法であって、
第２の制御部分を介して、問い合わせを生成することと、
前記変圧器を介して、前記問い合わせを前記情報信号生成器に送ることと、
を更に含み、
制御部分を介して、前記２次信号に基づいて制御信号を生成することが、前記問い合わせを受け取ると前記制御信号を生成することを含む、方法。
【請求項１３】
請求項８に記載のＤＣ／ＤＣコンバータであって、
無線電力転送システム内で用いられるためのものであり、前記情報信号が、前記システムの前記１次側での前記電力可能性に基づく、方法。
【請求項１４】
請求項８に記載の方法であって、
前記情報信号生成器が、第２の所定のパルス長を有する第２のパルスを含むように、前記第１の情報信号を生成するように更に動作可能であり、
前記１次信号生成器が、第４の信号部分と第５の信号部分とを追加的に含むように、前記１次信号を生成するように更に動作可能であり、
前記第４の信号部分が前記第２の振幅を有し、
前記第５の信号部分が前記第１の振幅を有し、
前記第２のパルスが前記第１のパルスから分離される、方法。
【請求項１５】
請求項１４に記載の方法であって、
第２の制御部分を介して、問い合わせを生成することと、
前記変圧器を介して、前記問い合わせを前記情報信号生成器に送ることと、
を更に含み、
制御部分を介して、前記２次信号に基づいて制御信号を生成することが、前記問い合わせを受け取ると前記制御信号を生成することを含む、方法。
【請求項１６】
ＤＣ入力信号と共に用いるためのＤＣ／ＤＣコンバータであって、前記ＤＣ／ＤＣコンバータが、
前記ＤＣ入力信号を受け取るように動作し得る入力部分と、
前記ＤＣ入力信号のパラメータを判定するように動作し得る入力判定部分と、
前記パラメータに基づいて第１の情報信号を生成するように動作し得る情報信号生成器と、
前記ＤＣ入力信号と前記情報信号とに基づいて１次信号を生成するように動作し得る１次信号生成器と、
と次側と２次側とを有する変圧器であって、前記１次側が前記１次信号に基づいて前記２次側において２次信号を誘導するように動作し得る、前記変圧器と、
前記２次信号に基づいて制御信号を生成するように動作し得る制御部分と、
前記２次信号に基づいてＤＣ信号を出力するように動作し得るＡＣ／ＤＣ変換部分と、
問い合わせを生成するように動作し得る第２の制御部分と、
前記ＤＣ信号に基づいて、出力信号を出力するように動作し得る出力部分と、
を含み、
前記情報信号生成器が、前記第１の情報信号として第１の所定のパルス長を有するパルスを生成するように動作可能であり、
前記１次信号生成器が、前記１次信号を第１の信号部分と第２の信号部分と第３の信号部分として生成するように動作可能であり、
前記第１の信号部分が第１の振幅を有し、
前記第２の信号部分が、第２の振幅を有し、そして前記第１の所定のパルス長に基づく持続期間を有し、
前記第３の信号部分が前記第１の振幅を有し、
前記第１の振幅が前記第２の振幅に等しくなく、
前記入力部分が、第１のＤＣ入力信号と第２のＤＣ入力信号との１つとして前記ＤＣ入力信号を受け取るように動作可能であり、前記第１のＤＣ入力信号が第１のＤＣ入力信号振幅を有し、前記第２のＤＣ入力信号が第２のＤＣ入力信号振幅を有し、
前記入力判定部分が、前記ＤＣ入力信号が前記第１のＤＣ入力信号であるときに前記ＤＣ入力信号の振幅が前記第１のＤＣ入力信号振幅であると判定するように動作可能であり、
前記入力判定部分が、前記ＤＣ入力信号が前記第２のＤＣ入力信号であるときに前記ＤＣ入力信号の振幅が前記第２のＤＣ入力信号振幅であると判定するように動作可能であり、
前記情報信号生成器が、前記ＤＣ入力信号が前記第１のＤＣ入力信号であるときに第１の所定のパルス長を有する前記パルスを生成するように動作可能であり、
前記情報信号生成器が、前記ＤＣ入力信号が前記第２のＤＣ入力信号であるときに第２の所定のパルス長を有する前記パルスを生成するように更に動作可能であり、
前記ＤＣ／ＤＣ変換部分が、第１のＤＣ信号部分とそれに続く第２のＤＣ信号部分として前記ＤＣ信号を出力するように動作可能であり、
前記第１のＤＣ信号部分が第１のＤＣ振幅を有し、
前記第２のＤＣ信号部分が第２のＤＣ振幅を有し、
前記第１のＤＣ振幅が前記第２のＤＣ振幅に等しくなく、
前記第２のＤＣ信号部分の開始が前記パルスに基づき、
前記第２のＤＣ信号部分が、前記ＤＣ入力信号が第１のＡＣ入力信号であるときに値Ｖ１を有する第２のＤＣ振幅を有し、
前記第２のＤＣ信号部分が、前記ＤＣ入力信号が前記第２のＤＣ入力信号であるときに値Ｖ２を有する第２のＤＣ振幅を有し、
ここで、Ｖ１≠Ｖ２であり、
前記コントローラが、前記第２のＤＣ信号部分が値Ｖ１を有する第２のＤＣ振幅を有するときに前記出力部分に第１の出力信号として前記出力信号を出力するように命令するように動作可能であり、
前記コントローラが、前記第２のＤＣ信号部分が値Ｖ２を有する第２のＤＣ振幅を有するときに前記出力部分に第２の出力信号として前記出力信号を出力するように命令するように動作可能であり、
前記変圧器が、前記問い合わせを前記情報信号生成器に送るように更に動作可能であり、
前記情報信号生成器が、前記問い合わせを受け取ると前記パラメータに基づいて前記第１の情報信号を生成するように動作可能であり、
前記問い合わせが、前記ＤＣ入力信号が３０Ｗか否かについての照会に対応する、ＤＣ／ＤＣコンバータ。